(57)【要約】【課題】録画した放送番組を再生する際、利用者にとって効率の良い再生を実現する記録再生装置及び記録再生方法を提供する。【解決手段】実施形態によれば、記録再生装置は、放送番組の放送データを記録する記録装置と、前記放送データから字幕データを取得する字幕データ取得部と、前記字幕データに基づいて前記放送番組において字幕の表示が開始される時間毎にチャプタの分割ポイントを設定するチャプタ設定部と、前記放送番組の再生中にスキップ操作の指示を受けると再生中のチャプタから次のチャプタの先頭に移動して再生するスキップ処理部と、を有する。【選択図】図７
2014127980.tif 000002
【特許請求の範囲】
【請求項１】
放送番組の放送データを記録する記録装置と、
前記放送データから字幕データを取得する字幕データ取得部と、
前記字幕データに基づいて前記放送番組において字幕の表示が開始される時間毎にチャプタの分割ポイントを設定するチャプタ設定部と、
前記放送番組の再生中にスキップ操作の指示を受けると再生中のチャプタから次のチャプタの先頭に移動して再生するスキップ処理部と、
を有する記録再生装置。
【請求項２】
字幕が表示されている時間に対する利用者がスキップ操作するまでの所要時間の比率を算出し、後のチャプタにおいて字幕が表示されている時間に前記比率を乗じた時間が経過したら前記後のチャプタから次のチャプタの先頭に自動的に移動する自動スキップ処理部と、
を有する請求項１に記載された記録再生装置。
【請求項３】
放送番組の放送データを記録する記録装置と、
前記放送データから字幕データを取得する字幕データ取得部と、
前記字幕データに基づいて前記放送番組において字幕の表示が開始される時間毎にチャプタの分割ポイントを設定するチャプタ設定部と、
前記放送番組の再生中に字幕読み終え操作の指示を受けると表示中のチャプタから次のチャプタの先頭へ再生速度を上げて再生し前記次のチャプタの先頭から通常速度で再生する高速再生部と、
を有する記録再生装置。
【請求項４】
字幕が表示されている時間に対する利用者が字幕読み終え操作するまでの所要時間の比率を算出し、後のチャプタにおいて字幕が表示されている時間に前記比率を乗じた時間が経過したら前記後のチャプタから次のチャプタの先頭へ自動的に再生速度を上げて再生し前記次のチャプタの先頭から通常速度で再生する自動高速再生部と、
を有する請求項３に記載された記録再生装置。
【請求項５】
放送番組の放送データを記録する記録装置と、
前記放送データから字幕データを取得する字幕データ取得部と、
前記字幕データに基づいて前記放送番組において字幕を画面に表示させる字幕表示部と、
字幕が表示されている時間に対する利用者が字幕読み終え操作するまでの所要時間の比率を算出し、字幕読み終え操作後に前記比率に基づいて番組の再生速度を変更する再生速度変更部と、
を有する記録再生装置。
【請求項６】
前記再生速度変更部は、前記比率の逆数を前記再生速度に乗じて前記再生速度を変更する請求項５に記載された記録再生装置。
【請求項７】
放送番組の放送データを記録する記録装置と、
前記放送データから字幕データを取得する字幕データ取得部と、
前記字幕データに基づいて前記放送番組において字幕の表示が開始される時間毎にチャプタの分割ポイントを設定するチャプタ設定部と、
前記放送データの記録時または記録後に前記チャプタ毎に字幕データベースを生成し該字幕データベースを前記記録装置またはフラッシュメモリに記憶させる字幕データベース生成部と、
を有する記録再生装置。
【請求項８】
放送番組の放送データを記録する記録装置と、
前記放送データから字幕データを取得する字幕データ取得部と、
前記放送データからに画像内に文字画像が表示された場合にこの文字画像を文字データとして取得する文字画像取得部と、
前記字幕データに基づいて前記放送番組において字幕の表示が開始される時間毎にチャプタの分割ポイントを設定すると共に前記文字データに基づいて前記放送番組において前記文字画像の表示が開始される時間毎にチャプタの分割ポイントを設定する第２のチャプタ設定部と、
を有する記録再生装置。
【請求項９】
放送番組の放送データを記録する記録装置と、
前記放送データの記録時または記録後に前記放送データから音声データを取得し、該音声データから文字データを生成する文字データ生成部と、
前記音声データに基づいて前記放送番組において音声の出力が開始される時間毎にチャプタの分割ポイントを設定する第３のチャプタ設定部と、
前記チャプタ毎に前記音声データから生成された前記文字データを画面に表示させる文字データ表示部と、
を有する記録再生装置。
【請求項１０】
放送番組の放送データを記録装置に記録し、
前記放送データから字幕データを取得し、
字幕データに基づいて前記放送番組において字幕の表示が開始される時間毎にチャプタの分割ポイントを設定し、
前記字幕データを画面に表示させ、
スキップ操作の指示を受けると再生中のチャプタから次のチャプタの先頭に移動して再生する記録再生方法。
【発明の詳細な説明】
【技術分野】
【０００１】
本発明の実施形態は、デジタル放送によって受信した番組を記録することが可能な記録再生装置及び記録再生方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、受信機のリモコンのボタンを押すだけで、当日あるいは１週間先までの番組表が表示され、放送時間や出演者など、番組内容の表示や知りたい情報の検索、番組の視聴予約や録画予約を簡単に行うことができる。
【０００３】
チャンネル数の増加に伴い、視聴者が視聴したい番組の放送時間が増大し、また放送時間が重複したりすることが起きるため、番組を録画して利用者の都合に合わせて番組を視聴する機会が増えてきた。録画した番組を再生する際の再生速度を適切に制御し、視聴者にとって効率の良い再生をする再生方法が提案されている。
【先行技術文献】
【特許文献】
【０００４】
【特許文献１】特開２００８−１６６９７３号公報
【発明の概要】
【発明が解決しようとする課題】
【０００５】
録画された多数の番組を視聴するとき早見早聞き再生機能を利用する場合がある。早見早聞き再生機能とは、通常の再生速度を１倍速とすると、１倍速より速い再生速度で再生する機能である。この機能を利用すると短時間で番組の内容を把握することができる。
【０００６】
再生速度によって音声を伴う場合と伴わない場合があるが、一般の視聴者が音声認識できる速度には限界があり、例えば１．５倍速程度でも音声認識できない場合がある。このような場合は番組の内容をよく理解できないため再生速度を遅くしなければならず、早見早聞きするときに、視聴者にとって効率の良い再生ができないことになる。
【０００７】
本発明の目的は、上記したような事情に鑑み成されたものであって、録画した放送番組を再生する際、利用者にとって効率の良い再生を実現する記録再生装置及び記録再生方法を提供することである。
【課題を解決するための手段】
【０００８】
上記目的を達成するために、実施形態によれば、記録再生装置は、放送番組の放送データを記録する記録装置と、前記放送データから字幕データを取得する字幕データ取得部と、前記字幕データに基づいて前記放送番組において字幕の表示が開始される時間毎にチャプタの分割ポイントを設定するチャプタ設定部と、前記放送番組の再生中にスキップ操作の指示を受けると再生中のチャプタから次のチャプタの先頭に移動して再生するスキップ処理部と、を有する。
【図面の簡単な説明】
【０００９】
【図１】第１の実施形態に係る記録再生装置の外観斜視図。
【図２】第１の実施形態に係る記録再生装置の構成を示したブロック図。
【図３】実施形態に係るリモコンの外観図。
【図４】第１の実施形態に係る再生制御部の構成を示したブロック図。
【図５】第１の実施形態におけるスキップ処理とリバース処理のステートマシン図。
【図６】番組の再生において映像と音声の表示に対して字幕が表示された区間の例を示した図。
【図７】スキップ操作で次の字幕が開始されるチャプタへスキップした状態を示した図。
【図８】画面に字幕再生バーの一例が表示された状態を示した図。
【図９】第２の実施形態に係る記録再生装置の構成を示したブロック図。
【図１０】第２の実施形態に係る再生制御部の構成を示したブロック図。
【図１１】第２の実施形態におけるスキップ処理とリバース処理のステートマシン図。
【図１２】スキップ操作で次の字幕が開始されるチャプタへスキップした状態を示した図。
【図１３】第３の実施形態に係る記録再生装置の構成を示したブロック図。
【図１４】第３の実施形態に係る再生制御部の構成を示したブロック図。
【図１５】第３の実施形態における高速再生処理とリバース処理のステートマシン図。
【図１６】字幕読み終え操作で次の字幕が開始されるチャプタまで高速再生した状態を示した図。
【図１７】第４の実施形態に係る記録再生装置の構成を示したブロック図。
【図１８】第４の実施形態に係る再生制御部の構成を示したブロック図。
【図１９】第４に実施形態における高速再生処理とリバース処理のステートマシン図。
【図２０】字幕読み終え操作で次の字幕が開始されるチャプタまで高速再生した状態を示した図。
【図２１】第５の実施形態に係る記録再生装置の構成を示したブロック図。
【図２２】第５の実施形態に係る再生制御部の構成を示したブロック図。
【図２３】第５に実施形態における再生速度変更処理とリバース処理のステートマシン図。
【図２４】字幕読み終え操作から利用者の字幕を読む速度を算出し再生速度を変更した状態を示した図。
【図２５】第６の実施形態に係る記録再生装置の構成を示したブロック図。
【図２６】第６の実施形態に係る再生制御部の構成を示したブロック図。
【図２７】第７の実施形態に係る記録再生装置の構成を示したブロック図。
【図２８】第７の実施形態に係る再生制御部の構成を示したブロック図。
【図２９】第８の実施形態に係る記録再生装置の構成を示したブロック図。
【図３０】第８の実施形態に係る再生制御部の構成を示したブロック図。
【発明を実施するための形態】
【００１０】
（第１の実施形態）
以下第１の実施形態について図面を参照しながら説明する。図１は、第１の実施形態に係る記録再生装置１の外観斜視図である。記録再生装置１は、デジタル放送を受信し、受信した放送番組の映像データ及び音声データの記録（録画）および再生が可能であって、画面に放送番組の映像を表示するデジタルテレビ、ＰＣ（Personal Computer）や携帯端末等の映像記録再生装置である。
【００１１】
記録再生装置１の実施形態として、デジタルテレビを一例として説明する。記録再生装置１は、本体２と、本体２を支持するスタンド３を備えている。本体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１２】
本体２は、本体２の前面側と上面、底面、両側側面の一部を覆う前面カバー５と、本体２の背面側と上面、底面、両側側面の一部を覆う背面カバー６とによって外面が囲まれている。画面７は、表示パネル４の前面カバー５の窓部５ａの内側の表示部分である。
【００１３】
リモコン８は赤外線あるいはBluetooth（登録商標）等による無線通信を利用して、記録再生装置１の操作受信部へ操作信号を送る操作機器である。
【００１４】
図２は、第１の実施形態に係る記録再生装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１５】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理部１４に出力される。また、復調器１３は、ネットワーク送受信部３１を介してインターネット等のネットワーク３２から受信したＩＰ放送を復調する。
【００１６】
デコード処理部１４は、ＭＰＥＧデコーダ、映像音声デコーダ等の機能を有する。デコード処理部１４は、復調器１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化、字幕ＰＥＳに対しては字幕ＥＳ化を行って映像データ、音声データ及び字幕データをデコードする。
【００１７】
また、デコード処理部１４は、記録装置２６から入力された映像データ、音声データ及び字幕データをデコードする。更に、デコード処理部１４は、外部装置３０から入力された映像データ、音声データ及び字幕データをデコードする機能を有する。
【００１８】
重畳処理部１５は、デコード処理部１４からの映像データと、バス２０を介して転送されるデータ放送やＧＵＩ（Graphical User Interface）情報によるウィンドー描画をプレーン管理して、映像データとの重ね合わせを行い、映像処理部１６に送る。
【００１９】
映像処理部１６は、表示装置１７で表示可能なフォーマット（画素数、フレーム周波数、走査方式）に変換したり、表示色を任意に調整したりして、表示装置１７に出力して映像を画面７に表示させる。
【００２０】
音声処理部１８は、デコード処理部１４から伝送されたデジタルの音声データを、スピーカ１９あるいはイヤホン（図示しない）で再生可能なアナログ音声信号に変換した後、スピーカ１９あるいはイヤホンに出力して音声を再生させる。なお、表示装置１７やスピーカ１９は記録再生装置１の外部にあってもよい。また、記録再生装置１と別の本体に納められていてもよい。
【００２１】
記録再生装置１は、上記した受信動作を含むその全ての動作を制御部２１によって統括的に制御されている。制御部２１はＭＰＵ（Micro Processing Unit）２２が搭載されており、バス２０を介して接続された各構成要素を制御する。
【００２２】
ＲＡＭ（Random Access Memory）２３は、制御部２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２３】
フラッシュメモリ２５は、書き換え可能であり、電源を切ってもデータが消えない不揮発性のメモリである。フラッシュメモリ２５は、利用者によって設定された記録再生装置１の機能及び動作に関する各種設定値を記憶する機能を有する。
【００２４】
記録装置２６は、ＨＤＤ（Hard Disk Drive）、ＳＳＤ（Solid State Drive）あるいはＯＤＤ（Optical Disc Drive）等を含む記録（録画）手段である。記録装置２６には、情報を記録再生するためのエンコーダとデコーダが搭載されており、該エンコーダとデコーダを介してＭＰＥＧ２−ＴＳデータが記録装置２６の記録再生形態に適したフォーマットに変調されＨＤＤ、ＳＳＤあるいはＯＤＤに記録され、また復調されて再生データとして出力される。この再生データは、デコード処理部１４でデコードされる。なお、記録装置２６は、複数あってもよい。
【００２５】
操作受信部２７は、操作機器２８から送信される操作信号を受信し、制御部２１に転送する。操作機器２８は、例えば、赤外線あるいはBluetooth（登録商標）等による無線通信を利用したリモコン（リモートコントローラ、remote controller）８、有線式あるいは無線式キーボード等であり、操作信号を送出する。操作受信部２７は、これらリモコン８やキーボード等から操作信号を受信する。
【００２６】
外部インターフェース２９は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部装置３０が接続される。外部装置端子２９ａは外部装置３０が接続される端子である。
【００２７】
記録再生装置１は、外部インターフェース２９を介して外部装置３０に放送番組を記録することができる。記録装置２６または外部装置３０のどちらに記録するかを利用者が選択できる。また、記録再生装置１は、外部装置３０に記録された映像または音声情報を再生することができる。
【００２８】
記録再生装置１は、ネットワーク送受信部３１を介してインターネット等のネットワーク３２に接続されている。これにより、記録再生装置１は、ネットワーク３２に接続されたサーバ３３等の機器とネットワーク送受信部３１を介して情報伝送を行なうことができる。例えば、ＤＬＮＡ（Digital Living Network Alliance）ガイドラインに対応したサーバから映像コンテンツを受信することが可能である。ネットワーク端子３１ａはネットワーク３５が接続される端子である。ネットワーク送受信部３１とネットワーク３２の接続は有線だけでなく、例えば、ＩＥＥＥ８０２．１１シリーズの通信方式を用いた無線ＬＡＮ等の無線接続であってもよい。
【００２９】
図３は、実施形態に係るリモコン８の外観図である。リモコン８は赤外線あるいはBluetooth（登録商標）等による無線通信を利用して、記録再生装置１の操作受信部２７へ操作信号を送る。電源ボタン４０は、記録再生装置１の電源をオンまたはオフする。詳細には記録再生装置１を待機状態から動作状態、または動作状態から待機状態にするボタンである。放送波選択ボタン４１は、放送の種類を選択する操作ボタンである。
【００３０】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、番組を視聴するときのスピーカの音量を調整するボタンである。
【００３１】
カーソルボタン４５は画面７に表示されたＧＵＩ（Graphical User Interface）画面の各種の情報ウィンドー内のカーソルの移動や各種項目の選択ボタンの移動を行うためのボタンである。カーソルボタン４５は十字ボタン、方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面上のボタンを実行するときに用いられる。
【００３２】
番組表ボタン４７は、画面７に番組表を表示するときに操作する専用の操作ボタンである。録画リストボタン４８は、画面７に録画リストを表示するときに操作するボタンである。録画リストは、利用者が記録された番組を選択する際に表示する記録番組の一覧表である。戻るボタン４９は一つ前の操作段階の画面へ戻るときに使うボタンである。終了ボタン５０は、一連の操作を終了するときに操作するボタンである。
【００３３】
補助カーソルボタン５１は、画面７に表示された番組表のページや各種リストの切り換え、複数表示されたタブの切り換えなど、主に画面７に表示されたＧＵＩ画面を切り換えるときに使用される操作ボタンである。補助カーソルボタン５１ａは左方向、５１ｂは右方向、５１ｃは下方向あるいは次の画面、５１ｄは上方向あるいは前の画面を選択したり移動したりするときに操作する。
【００３４】
４色の色ボタン５２は、左から青ボタン５２ａ、赤ボタン５２ｂ、緑ボタン５２ｃ、黄ボタン５２ｄの順に配置されている。画面７上に色により区別された項目や色による選択の表示があるときに使用する。
【００３５】
記録装置操作ボタン５３は、記録装置２６、あるいは外部装置３０に記録された番組を再生する際に、再生、停止、一時停止、早送り再生、早戻し再生、スキップ、リバースするためのボタンである。再生ボタン５３ａは、記録装置２６に記録された番組の再生を開始するときに操作するボタンである。停止ボタン５３ｂは、再生を止めるときに操作するボタンである。一時停止ボタン５３ｃは、再生を一時的に止めて静止画像を表示するときに操作するボタンである。停止位置、一時停止位置は一時的にＲＡＭ２３に記録される。早送り再生ボタン５３ｄは、早送り再生を、早戻し再生ボタン５３ｅは早戻し再生をするときに操作するボタンである。
【００３６】
スキップボタン５３ｆは、次（一つ先）のチャプタの先頭へスキップして再生するときに操作するボタンである。押す度に一つ先のチャプタへ移動する。リバースボタン５３ｇは、現在のチャプタの先頭へ戻るときに操作するボタンである。続けて２回押すと一つ前のチャプタの先頭に戻ってから再生する。
【００３７】
字幕ボタン５４は、画面に字幕を表示させるときに操作するボタンである。字幕放送番組が表示されている場合にこのボタンを押下すると画面に字幕を表示することができる。ボタンを押下するたびに表示・非表示が切り換わる。字幕読み終えボタン５５は、利用者が字幕を読み終えたときに操作するボタンである。このボタンを押下すると、例えば、次のチャプタまで再生速度が高速再生に変化する。
【００３８】
メニューボタン５６は、記録再生装置１に用意された各種の設定メニューを表示するときに押下するボタンである。利用者は、階層表示された複数の項目の中から目的の設定項目を、カーソルボタン４５を用いて選択する。
【００３９】
図２において、制御部２１は、記録制御部３４、再生制御部３５の機能を有する。この機能は、制御部２１のＭＰＵ２２が実行するアプリケーションであり、通常はＲＯＭ２４に格納されており、使用時にはＭＰＵ２２によって読み出され実行される。
【００４０】
記録制御部３４は、利用者の要求に基づいて設定された放送番組の記録予約情報を管理し、予約された番組の記録処理や視聴中の番組の記録処理を行う。また、記録装置２６や外部装置３０の記録可能時間の算出を行う。さらに、録画リストを生成する。
【００４１】
図４は、第１の実施形態に係る再生制御部３５の構成を示したブロック図である。再生制御部３５は、字幕データ取得部６１、字幕データ表示部６２、チャプタ設定部６３、スキップ処理部６４の機能を有する。
【００４２】
再生制御部３５は、利用者によって選択された記録番組を再生する。再生制御部３５は、録画リストボタン４８が押下されると、画面７に録画リストを表示し、利用者が選択、決定した記録番組を再生する。
【００４３】
字幕データ取得部６１は、字幕を含む放送番組の放送データの字幕ＥＳから字幕データを取得する機能を有する。字幕放送は画面に音声の内容を文字で提示するサービスである。利用者が字幕表示のＯＮ／ＯＦＦを選択できる。字幕データは、表示開始時刻、表示位置（画面表示の座標）、色、文字サイズ、フォント、修飾（点滅など）、言語の選択、縦書き・横書きなどの表示（提示）制御データである。字幕データ取得部６１は、取得したデータを一旦ＲＡＭ２３に保存する。
【００４４】
字幕データ表示部６２は、字幕データ取得部６１が取得した字幕データから文字データを生成し画面７に表示させる機能を有する。生成された文字データは、重畳処理部１５、映像処理部１６を介して適宜変更され表示装置１７に送信される。
【００４５】
チャプタ設定部６３は、字幕データに基づいて放送番組において字幕の表示が開始される時間毎にチャプタの分割ポイントを設定する機能を有する。チャプタ設定部６３は、番組内に表示される字幕毎に字幕表示の開始時刻にチャプタの分割ポイントを設定する。チャプタ設定部６３においては、映像データのシーンチェンジ点を検出したり、音声データの変化点を検出したりしてチャプタの分割ポイントを設定しない。
【００４６】
スキップ処理部６４は、放送番組の再生中にスキップ操作の指示を受けると再生中のチャプタから次のチャプタの先頭に移動して再生する機能を有する。スキップ処理部６４は、利用者がスキップボタン５３ｆを押下すると、再生している番組のチャプタの次（一つ先）のチャプタの先頭へスキップして再生する。
【００４７】
利用者は、表示されているチャプタの字幕を読み終えたら、次の字幕表示位置にスキップすることで、利用者が自分のペースで、短時間で番組を視聴できる。利用者は、表示されているチャプタの字幕を読み終えたら、リモコン８のスキップボタン５３ｆを押下すると次のチャプタの先頭へスキップすることができる。スキップした直後あるいは僅かな時間経過の後に画面に字幕が表示されるので、この字幕を読み、読み終えたら更に次のチャプタへスキップすればよい。字幕を読み終えスキップボタン５３ｆを押下した直後の場面から次のスキップ位置までの場面までの映像が省略され、この省略された時間だけ視聴時間を短縮することができる。ＣＭ（Commercial message）やドラマの主題歌には字幕がないので、利用者の判断でスキップできる。
【００４８】
図５は、第１の実施形態におけるスキップ処理とリバース処理のステートマシン図である。本実施形態における記録再生装置１の基本的な状態遷移を説明する。初期状態から映像と字幕の再生表示を止めると停止中Ｓ１１に遷移する。停止中Ｓ１１に再生操作を実行すると再生中Ｓ１２に遷移する。再生中Ｓ１２においては映像と字幕を表示する。再生中Ｓ１２に停止操作を実行または再生完了すると停止中Ｓ１１に遷移する。停止中Ｓ１１は映像と字幕の再生を停止する。以上の再生、停止処理は、一般的な記録再生機器の再生/停止処理と同じである。
【００４９】
再生中Ｓ１２にスキップ操作を実行するとスキップ処理中Ｓ１３に遷移する。スキップ処理中Ｓ１３では、再生位置を一つ先のチャプタの開始位置に進める。スキップ処理が完了したら再生中Ｓ１２に遷移する。一方、再生中Ｓ１２にリバース操作を実行するとリバース処理中Ｓ１４に遷移する。リバース処理中Ｓ１４では、再生位置を再生中のチャプタの開始位置に戻す。リバース処理が完了したら再生中Ｓ１２に遷移する。
【００５０】
利用者は、再生を開始し、字幕を読み終えたらスキップ操作を実行する。スキップ操作はリモコンのスキップボタン５３ｆを押下する。スキップ操作で、再生位置を一つ先のチャプタの開始位置に進め、映像と字幕の再生を再開する。字幕表示→字幕を読み終えたらスキップ操作→字幕表示→字幕を読み終えたらスキップ操作を繰り返すことで、利用者は番組の内容を高速に視聴することができる。なお、リモコンのスキップボタン５３ｆの代わりにリモコンの他のボタンを割り当てるようにしてもよい。
【００５１】
図６は、番組の再生において映像と音声の表示に対して字幕が表示された区間の例を示した図である。字幕が表示されている再生区間と字幕が表示されていない再生区間の比率が２対１となるような例を示している。
【００５２】
図７は、スキップ操作で次の字幕が開始されるチャプタへスキップした状態を示した図である。早見のためスキップ操作で字幕を短時間で読み終えて次の字幕が開始されるチャプタへ次々とスキップする。図７においては、図６に示した番組について、字幕表示区間（時間）の３／４の位置で字幕を読み終えスキップ操作をした場合を示している。矢印はスキップ操作した位置を示す。字幕Ａを３／４の位置で読み終え字幕Ｂへスキップするために映像音声表示の４、５、６で示した部分が省略されている。さらに、字幕Ｂから字幕Ｃへスキップするときに、映像音声表示の１０、１１、１２で示した部分が省略されている。この例では、通常再生の約２倍の速さで番組を早見視聴できることになる。
【００５３】
図８は、画面７に字幕再生バーの一例が表示された状態を示した図である。字幕再生バー６５は、例えば、画面７の下部に水平方向に延在する棒グラフに似た形状をした再生中のチャプタの時間経過を示すタイムバーである。字幕再生バー６５は、再生中の番組の映像にオーバーラップして表示される。字幕再生バー６５は、再生中のチャプタの字幕表示区間６６と字幕なし区間６７を示す。字幕表示区間６６は字幕が表示されている時間を示し、字幕なし区間６７は字幕の表示が消えてからこのチャプタが終了するまでの時間を示す。
【００５４】
字幕再生バー６５の左端は再生中のチャプタの開始位置を示す。また、右端は再生中のチャプタの終了位置を示す。再生中のチャプタの再生位置にはロケータ（カーソル）６８が表示されている。ロケータ６８の位置は現在位置を示し、ロケータ６８の左側は時間軸で過去を示し、右側は時間軸で未来を示す。ロケータ６８は、再生時間が経過するに従い、右端６７方向に移動する。
【００５５】
字幕再生バー６５を表示することで、利用者は次の字幕までどのくらい時間があるかが分かるようになり、スキップ操作をするかしないかを判断をするときの一助となる。また、字幕再生バー６５は字幕表示区間と字幕なし区間を表示することで、字幕が消えるタイミングも判り、落ち着いて字幕を読むことができる。
【００５６】
以上のように、字幕データ取得部６１によって字幕放送番組の放送データの字幕ＥＳから字幕データを取得し、チャプタ設定部６３によって字幕データに基づいて放送番組において字幕の表示が開始される時間毎にチャプタの分割ポイントを設定し、字幕データ表示部６２によって文字データを生成し画面７に表示させ、利用者からスキップ操作の指示を受けるとスキップ処理部６４によって再生中のチャプタから次のチャプタの先頭に移動して再生することによって、利用者は、記録番組を早見することができる。利用者にとって効率の良い再生を実現することができる。
【００５７】
（第２の実施形態）
図９は、第２の実施形態に係る記録再生装置７０の構成を示したブロック図である。図１０は、第２の実施形態に係る再生制御部７２の構成を示したブロック図である。この第２の実施形態の各部について、図２、図４に示す第１の実施形態の各部と同一部分は同一符号である。この第２の実施形態が第１の実施形態と異なる点は、再生制御部３５を再生制御部７２に代えた構成していることにある。再生制御部７２は、自動スキップ処理部７３が追加されている。
【００５８】
再生制御部７２は、字幕データ取得部６１、字幕データ表示部６２、チャプタ設定部６３、スキップ処理部６４、自動スキップ処理部７３の機能を有する。字幕データ取得部６１、字幕データ表示部６２、チャプタ設定部６３、スキップ処理部６４の各要素は第１の実施形態と同様であるので説明は省略する。
【００５９】
自動スキップ処理部７３は、字幕が表示されている時間に対する利用者がスキップ操作するまでの所要時間の比率を算出し、後のチャプタにおいて前記比率の時間が経過したら後のチャプタから次のチャプタの先頭に自動的に移動する機能を有する。字幕表示区間において何パーセント再生したときに利用者がスキップ操作したかを検出して時間の比率を算出し、それより後のチャプタの字幕表示区間において算出した比率と同じ比率の時間を再生したときに自動的に次のチャプタにスキップする。この比率を算出する際、複数のチャプタにおける比率の平均値を用いてもよい。例えば、所定回数として３回あるいは５回とすればよい。
【００６０】
チャプタへの移動直後から利用者が字幕を読み終えてスキップボタン５３ｆを押下するまでの時間から利用者が字幕を読む時間を検出する。例えば、字幕表示区間（字幕が表示されている時間）が１０秒であるところを、利用者が７．８秒でスキップボタン５３ｆを押下すると自動スキップ処理部７３は、比率を７８％と算出する。また、例えば、字幕表示区間が５秒であり、利用者が４秒でスキップボタン５３ｆを押下すると、比率を８０％と算出し、字幕表示区間が８秒であり、利用者が６．６秒でスキップボタン５３ｆを押下すると、比率を８３％と算出する。上記の３個の比率の平均値は８０．３％となる。自動スキップ処理部７３は、この平均値に基づいて、次のチャプタの字幕表示区間が１２秒であった場合には、スキップ操作の所要時間を８０．３％の時間（９．６３６秒≒９．６秒）と算出する。算出された所要時間が経過したら表示中のチャプタから次のチャプタの先頭に自動的に移動する。
【００６１】
利用者は途中からスキップ操作しなくとも利用者が字幕を読む速さに合わせた速さでチャプタをスキップすることができ早見することができる。利用者はリモコン８の操作が不要になるため、効率がよい。
【００６２】
図１１は、第２の実施形態におけるスキップ処理とリバース処理のステートマシン図である。本実施形態における記録再生装置７０の基本的な状態遷移を説明する。初期状態から再生中Ｓ１２への遷移は、図５で説明した内容と同じであるので省略する。
【００６３】
再生中Ｓ１２にスキップ操作を実行するとスキップ処理中Ｓ１３に遷移する。スキップ処理中Ｓ１３では、再生位置を一つ先のチャプタの開始位置に進める。スキップ処理が完了したら再生中Ｓ１２に遷移する。一方、再生中Ｓ１２にリバース操作を実行するとリバース処理中Ｓ１４に遷移する。リバース処理中Ｓ１４では、再生位置を再生中のチャプタの開始位置に戻す。リバース処理が完了したら再生中Ｓ１２に遷移する。
【００６４】
再生中Ｓ１２において自動スキップ判定を行い、再生位置が自動スキップ位置に達した場合には、スキップ処理中Ｓ１３に遷移する。スキップ処理中Ｓ１３では、再生位置を一つ先の字幕開始位置に進める。スキップ処理が完了したら再生中Ｓ１２に遷移する。再生位置が自動スキップ位置に達していない場合は、再生中Ｓ１２に戻り再生を継続する。自動スキップ位置は、過去に実行された利用者のスキップ操作のタイミング（字幕表示区間の何パーセント再生時にスキップ操作がされたか）から算出する。
【００６５】
自動スキップ位置は、字幕字数と利用者のスキップ操作の所要時間との関係から算出するようにしてもよい。利用者のスキップ操作から次のスキップ操作までの所要時間と字幕字数に基づく想定時間との比率を求め、この比率に基づいて表示中のチャプタの字幕次数からスキップ操作の所要時間を算出し、算出された所要時間が経過したら表示中のチャプタから次のチャプタの先頭に自動的に移動するようにしてもよい。字幕次数が多い場合には、字幕を読むのに時間が掛かるため自動スキップ位置を遅めに設定し、逆に字幕字数が少ない場合には、字幕を読むのに時間が掛からないため自動スキップ位置を早めに設定することになる。
【００６６】
チャプタへの移動直後から利用者が字幕を読み終えてスキップボタン５３ｆ押下するまでの時間から利用者が字幕を読む時間を検出する。チャプタの字幕字数から字幕を読み終える時間を想定する。例えば３０字を読み終えるのに掛かる想定時間を３秒、５０字なら５秒、１００字なら１０秒と想定する。利用者が３０字の字幕を読み終えた所要時間が、例えば２．５秒とすると前述の想定時間に対する比率は８３．３％である。５０字の字幕を読み終えた所要時間が、例えば４秒（８０％）、１００字の字幕を読み終えた所要時間が、例えば７．８秒（７８％）とすると、この３個のデータから平均値を算出すると、８０．４％となる。自動スキップ処理部７３は、この平均値に基づいて、次のチャプタの字幕字数が５０字であった場合には、スキップ操作の所要時間を想定時間（５秒）の８０．４％の時間（４．０２秒≒４秒）と算出する。算出された所要時間が経過したら表示中のチャプタから次のチャプタの先頭に自動的に移動する。平均値を算出するときのチャプタの個数（回数）は適宜決めればよい。例えば、所定回数として３回あるいは５回とすればよい。
【００６７】
利用者は、再生を開始し、字幕を読み終えたらスキップ操作を実行する。スキップ操作で、再生位置を一つ先のチャプタの開始位置に進め、映像と字幕の再生を再開する。字幕表示→字幕を読み終えたらスキップ操作→字幕表示→字幕を読み終えたらスキップ操作を繰り返すことで、利用者は番組の内容を高速に視聴することができる。１回または所定の回数スキップ操作を実行すると、これらのスキップ操作のタイミングから利用者の字幕を読む速度を推測することができるため、これを算出し、その後は利用者が字幕を読み終えたと推測される位置に再生位置が到達したら自動スキップを実行する。これにより、途中からはスキップ操作なしで、番組の内容を高速（利用者が字幕を読む速度に合わせた速さ）で番組を視聴することができる。
【００６８】
図１２は、スキップ操作で次の字幕が開始されるチャプタへスキップした状態を示した図である。早見のためスキップ操作で字幕を短時間で読み終えて次の字幕が開始されるチャプタへ次々とスキップする。図１２においては、図６に示した番組について、字幕表示区間（時間）の３／４の位置で字幕を読み終えスキップ操作をした場合を示している。矢印はスキップ操作した時間的な位置を示す。字幕Ａを３／４の位置で読み終え字幕Ｂへスキップするために映像音声表示の４、５、６で示した部分が省略されている。さらに、字幕Ｂから字幕Ｃへスキップするときに、映像音声表示の１０、１１、１２で示した部分が省略されている。
【００６９】
図１２においては、字幕Ｄから自動スキップ処理部７３が、自動スキップを実行することが示されている。字幕Ａ、字幕Ｂ、字幕Ｃについて利用者がスキップ操作するまでの所要時間の比率を求め、３回の比率の平均を求めて字幕Ｄ以降に自動スキップ処理が実行されている。以上のように、利用者は、記録番組を早見することができる。利用者にとって効率の良い再生を実現することができる。
【００７０】
（第３の実施形態）
図１３は、第３の実施形態に係る記録再生装置８０の構成を示したブロック図である。図１４は、第３の実施形態に係る再生制御部８２の構成を示したブロック図である。この第３の実施形態の各部について、図２、図４に示す第１の実施形態の各部と同一部分は同一符号である。この第３の実施形態が第１の実施形態と異なる点は、再生制御部３５を再生制御部８２に代えた構成していることにある。再生制御部８２は、高速再生部８３が含まれている。
【００７１】
再生制御部８２は、字幕データ取得部６１、字幕データ表示部６２、チャプタ設定部６３、高速再生部８３の機能を有する。字幕データ取得部６１、字幕データ表示部６２、チャプタ設定部６３の各要素は第１の実施形態と同様であるので説明は省略する。
【００７２】
高速再生部８３は、利用者から字幕読み終え操作の指示を受けると表示中のチャプタから次のチャプタの先頭へ再生速度を上げて再生し次のチャプタの先頭から通常速度で再生する機能を有する。通常速度とは、１倍速再生である。字幕読み終え操作とは、画面７に表示中のチャプタの字幕表示を読み終えたことをリモコン８の字幕読み終えボタン５５を押下して記録再生装置８０へ字幕読み終え操作の信号を送信することである。
【００７３】
利用者は、表示されているチャプタの字幕を読み終えたら、字幕読み終え操作をすることで次のチャプタの先頭まで再生速度を上げて再生し、次のチャプタの先頭から通常速度で再生することで記録番組を早見することができる。字幕を読み終えてから次のチャプタまで高速再生するため、この間の時間を短縮することができ、早見をすることができる。スキップとは異なり、字幕を読み終えた後の映像が省略されないので番組の内容の全体を把握することができる。
【００７４】
図１５は、第３の実施形態における高速再生処理とリバース処理のステートマシン図である。本実施形態における記録再生装置８０の基本的な状態遷移を説明する。初期状態から再生中Ｓ１２への遷移は、図５で説明した内容と同じであるので省略する。
【００７５】
再生中Ｓ１２に字幕読み終え操作を実行すると高速再生処理中Ｓ１５に遷移する。高速再生処理中Ｓ１５では、再生位置が一つ先のチャプタの開始位置に進むまで高速再生表示する。高速再生処理が完了したら再生中Ｓ１２に遷移する。一方、再生中Ｓ１２にリバース操作を実行するとリバース処理中Ｓ１４に遷移する。リバース処理中Ｓ１４では、再生位置を再生中のチャプタの開始位置に戻す。リバース処理が完了したら再生中Ｓ１２に遷移する。
【００７６】
利用者は、再生を開始し、字幕を読み終えたら字幕読み終え操作を実行する。字幕読み終え操作はリモコンの字幕読み終えボタン５５を押下することで実行される。字幕読み終え操作で、番組を高速再生表示させ一つ先のチャプタの開始位置に進め、再び通常再生になり、字幕を読むことができる。字幕表示（通常再生）→字幕を読み終えたら字幕読み終え操作→高速再生→字幕表示（通常再生）→字幕を読み終えたら字幕読み終え操作を繰り返すことで、利用者は番組の内容を高速に視聴することができる。
【００７７】
図１６は、字幕読み終え操作で次の字幕が開始されるチャプタまで高速再生した状態を示した図である。図１６においては、図６に示した番組について、字幕表示区間（時間）のほぼ３／４の位置で字幕を読み終え、字幕読み終え操作をした場合を示している。矢印は字幕読み終え操作した時間的な位置を示す。例えば、字幕Ａを３／４の位置で読み終えて字幕読み終え操作したことによって、映像音声表示の４、５、６で示した部分が高速再生されている。さらに、字幕Ｂについても３／４の位置で読み終えて字幕読み終え操作したことによって、映像音声表示の１０、１１、１２で示した部分が高速再生されている。
【００７８】
以上のように、字幕データ取得部６１によって字幕放送番組の放送データの字幕ＥＳから字幕データを取得し、チャプタ設定部６３によって字幕データに基づいて放送番組において字幕の表示が開始される時間毎にチャプタの分割ポイントを設定し、字幕データ表示部６２によって文字データを生成し画面７に表示させ、利用者から字幕読み終え操作の指示を受けると高速再生部８３によって表示中のチャプタから次のチャプタの先頭へ再生速度を上げて再生し次のチャプタの先頭から通常速度で再生することによって、利用者は、記録番組を早見することができる。利用者にとって効率の良い再生を実現することができる。
【００７９】
（第４の実施形態）
図１７は、第４の実施形態に係る記録再生装置９０の構成を示したブロック図である。図１８は、第４の実施形態に係る再生制御部９２の構成を示したブロック図である。この第４の実施形態の各部について、図１３、図１４に示す第３の実施形態の各部と同一部分は同一符号である。この第４の実施形態が第３の実施形態と異なる点は、再生制御部８２を再生制御部９２に代えた構成していることにある。再生制御部９２は、高速再生部８３、自動高速再生部９３が含まれている。
【００８０】
再生制御部９２は、字幕データ取得部６１、字幕データ表示部６２、チャプタ設定部６３、高速再生部８３、自動高速再生部９３の機能を有する。字幕データ取得部６１、字幕データ表示部６２、チャプタ設定部６３、高速再生部８３の各要素は第３の実施形態と同様であるので説明は省略する。
【００８１】
自動高速再生部９３は、字幕が表示されている時間に対する利用者が字幕読み終え操作するまでの所要時間の比率を算出し、後のチャプタにおいて前記比率を掛けた時間が経過したら表示中のチャプタから次のチャプタの先頭まで自動的に再生速度を上げて再生し次のチャプタの先頭から通常速度で再生する機能を有する。字幕表示区間において何パーセント再生したときに利用者が字幕読み終え操作したかを検出して時間の比率を算出し、それより後のチャプタの字幕表示区間において算出した比率と同じ比率を再生したときに自動的に次のチャプタまで高速再生する。この比率を算出する際、複数のチャプタにおける比率の平均値を用いてもよい。例えば、所定回数として３回あるいは５回とすればよい。
【００８２】
チャプタへの移動直後から利用者が字幕を読み、字幕を読み終えて字幕読み終えボタン５５を押下するまでの時間から利用者が字幕を読む時間を検出する。例えば、字幕表示区間（字幕が表示されている時間）が１０秒であるところを、利用者が７．８秒で字幕読み終えボタン５５を押下すると自動高速再生部９３は、比率を７８％と算出する。また、例えば、字幕表示区間が５秒であり、利用者が４秒で字幕読み終えボタン５５を押下すると、比率を８０％と算出し、字幕表示区間が８秒であり、利用者が６．６秒で字幕読み終えボタン５５を押下すると、比率を８３％と算出する。上記の３個の比率の平均値は８０．３％となる。自動高速再生部９３は、この平均値に基づいて、次のチャプタの字幕表示区間が１２秒であった場合には、スキップ操作の所要時間を８０．３％の時間（９．６３６秒≒９．６秒）と算出する。算出された所要時間が経過したら表示中のチャプタから次のチャプタの先頭まで自動的に再生速度を上げて再生し、そのチャプタの先頭から通常速度で再生する。
【００８３】
図１９は、第４に実施形態における高速再生処理とリバース処理のステートマシン図である。本実施形態における記録再生装置９０の基本的な状態遷移を説明する。初期状態から再生中Ｓ１２への遷移は、図５で説明した内容と同じであるので省略する。
【００８４】
再生中Ｓ１２に字幕読み終え操作を実行すると高速再生処理中Ｓ１５に遷移する。高速再生処理中Ｓ１５では、再生位置が一つ先のチャプタの開始位置に進むまで高速再生表示する。高速再生処理が完了したら再生中Ｓ１２に遷移する。一方、再生中Ｓ１２にリバース操作を実行するとリバース処理中Ｓ１４に遷移する。リバース処理中Ｓ１４では、再生位置を再生中のチャプタの開始位置に戻す。リバース処理が完了したら再生中Ｓ１２に遷移する。
【００８５】
再生中Ｓ１２には自動高速再生判定を行い、再生位置が自動高速再生位置に達した場合には、高速再生処理中Ｓ１５に遷移する。高速再生処理中Ｓ１５では、再生位置が一つ先のチャプタの開始位置に進むまで高速再生表示する。高速再生処理が完了したら再生中Ｓ１２に遷移する。再生位置が自動高速再生位置に達していない場合は、再生中Ｓ１２に戻り再生を継続する。自動高速再生位置は、過去に実行された利用者の字幕読み終え操作のタイミング（字幕表示区間の何パーセント再生時に字幕読み終え操作がされたか）から算出する。
【００８６】
自動高速再生位置は、字幕字数と利用者の字幕読み終え操作の所要時間との関係から算出するようにしてもよい。利用者の字幕読み終え操作の所要時間と字幕字数に基づく想定時間との比率を求め、この比率に基づいて表示中のチャプタの字幕次数から字幕読み終え操作の所要時間を算出し、算出された所要時間が経過したら表示中のチャプタから次のチャプタの先頭まで自動的に再生速度を上げて再生し次のチャプタの先頭から通常速度で再生するようにしてもよい。字幕次数が多い場合には、字幕を読むのに時間が掛かるため自動高速再生位置を遅めに設定し、逆に字幕字数が少ない場合には、字幕を読むのに時間が掛からないため自動高速再生位置を早めに設定することになる。
【００８７】
利用者は、再生を開始し、字幕を読み終えたら字幕読み終え操作を実行する。字幕表示（通常再生）→字幕を読み終えたら字幕読み終え操作→高速再生→字幕表示（通常再生）→字幕を読み終えたら字幕読み終え操作を繰り返すことで、利用者は番組の内容を高速に視聴することができる。１回または所定の回数字幕読み終え操作を実行すると、これらの字幕読み終え操作のタイミングから利用者の字幕を読む速度を推測することができるため、これを算出し、その後は利用者が字幕を読み終えたと推測される位置に再生位置が到達したら自動高速再生を実行する。これにより、途中からは字幕読み終え操作なしで、番組の内容を高速（利用者が字幕を読む速度に合わせた速さ）で番組を視聴することができる。
【００８８】
図２０は、字幕読み終え操作で次の字幕が開始されるチャプタまで高速再生した状態を示した図である。図２０においては、図６に示した番組について、字幕表示区間（時間）のほぼ３／４の位置で字幕を読み終え、字幕読み終え操作をした場合を示している。矢印は字幕読み終え操作した時間的な位置を示す。
【００８９】
図２０においては、字幕Ｄから自動高速再生処理部９３が、自動高速再生処理を実行することが示されている。字幕Ａ、字幕Ｂ、字幕Ｃについて利用者が字幕読み終え操作するまでの所要時間の比率を求め、３回の比率の平均を求めて字幕Ｄ以降に自動高速再生処理が実行されている。以上のように、利用者は、記録番組を早見することができ、利用者にとって効率の良い再生を実現することができる。
【００９０】
（第５の実施形態）
図２１は、第５の実施形態に係る記録再生装置１００の構成を示したブロック図である。図２２は、第５の実施形態に係る再生制御部１０２の構成を示したブロック図である。この第５の実施形態の各部について、図１７、図１８に示す第４の実施形態の各部と同一部分は同一符号である。この第５の実施形態が第４の実施形態と異なる点は、再生制御部９２を再生制御部１０２に代えた構成していることにある。再生制御部１０２は、再生速度変更部１０３が含まれている。
【００９１】
再生制御部１０２は、字幕データ取得部６１、字幕データ表示部６２、チャプタ設定部６３、再生速度変更部１０３の機能を有する。字幕データ取得部６１、字幕データ表示部６２、チャプタ設定部６３の各要素は第４の実施形態と同様であるので説明は省略する。
【００９２】
再生速度変更部１０３は、字幕が表示されている時間に対する利用者が字幕読み終え操作するまでの所要時間の比率を算出し、字幕読み終え操作後に前記比率に基づいて番組の再生速度を変更する機能を有する。再生速度変更部１０３は、字幕表示区間において何パーセント再生したときに利用者が字幕読み終え操作したかを検出して時間の比率を算出し、字幕読み終え操作後に、例えば、算出された比率の逆数を再生速度に乗じて再生速度を変更する。例えば、字幕表示区間の３／４の位置で字幕読み終え操作が為されている場合は、再生速度を４／３倍速とし、以後その再生速度で再生を継続する。比率を算出する際、複数の字幕表示区間における比率の平均値を用いてもよい。例えば、所定回数として３回あるいは５回とすればよい。
【００９３】
字幕表示の直後から利用者が字幕を読み、読み終えて字幕読み終えボタン５５を押下するまでの時間から利用者が字幕を読む時間を検出する。例えば、字幕表示区間（字幕が表示されている時間）が１０秒であるところを、利用者が５．７秒で字幕読み終えボタン５５を押下すると再生速度変更部１０３は、比率を５７％と算出する。また、例えば、字幕表示区間が５秒であり、利用者が２．８秒で字幕読み終えボタン５５を押下すると、比率を５６％と算出し、字幕表示区間が８秒であり、利用者が４．４秒で字幕読み終えボタン５５を押下すると、比率を５５％と算出する。上記の３個の比率の平均値は５６％となる。再生速度変更部１０３は、この平均値に基づいて、平均値の逆数である１７９％を再生速度に乗じ、以後この再生速度で再生する。
【００９４】
図２３は、第５に実施形態における再生速度変更処理とリバース処理のステートマシン図である。本実施形態における記録再生装置１００の基本的な状態遷移を説明する。初期状態から映像と字幕の再生表示を止めると停止中Ｓ１１に遷移する。停止中Ｓ１１に再生操作を実行すると再生中Ｓ１６に遷移する。再生中Ｓ１６は映像と字幕を表示する。再生中Ｓ１６に停止操作を実行または再生完了すると停止中Ｓ１１に遷移する。停止中Ｓ１１は映像と字幕の再生を停止する。以上の再生、停止処理は、一般的な記録再生機器の再生/停止処理と同じである。
【００９５】
再生中Ｓ１６にスキップ操作を実行するとスキップ処理中Ｓ１３に遷移する。スキップ処理中Ｓ１３では、再生位置を一つ先のチャプタの開始位置に進める。スキップ処理が完了したら再生中Ｓ１６に遷移する。一方、再生中Ｓ１６にリバース操作を実行するとリバース処理中Ｓ１４に遷移する。リバース処理中Ｓ１４では、再生位置を再生中のチャプタの開始位置に戻す。リバース処理が完了したら再生中Ｓ１６に遷移する。
【００９６】
再生中Ｓ１６においては、利用者からの字幕読み終え操作を受け付ける。１回または複数回の字幕読み終え操作によって字幕が表示されている時間に対する利用者が字幕読み終え操作するまでの所要時間の比率を算出する。再生中Ｓ１６に遷移する際に、前記比率に基づいて番組の再生速度を変更する。従って利用者が字幕を読む速度に合わせて再生速度を変更することができる。
【００９７】
字幕が表示されている時間に対する利用者が字幕読み終え操作するまでの所要時間の比率は、字幕字数と利用者の字幕読み終え操作の所要時間との関係から算出するようにしてもよい。利用者の字幕読み終え操作の所要時間と字幕字数に基づく想定時間との比率を求め、この比率に基づいて再生速度を変更するようにしてもよい。
【００９８】
利用者は、再生を開始し、字幕を読み終えたら字幕読み終え操作を実行する。字幕表示（通常再生）→字幕を読み終えたら字幕読み終え操作（複数回繰り返して平均値を求めても良い）→再生速度変更（高速再生）することで、利用者は番組の内容を高速に視聴することができる。１回または所定の回数字幕読み終え操作を実行すると、これらの字幕読み終え操作のタイミングから利用者の字幕を読む速度を推測することができるため、これを算出し、字幕読み終え操作後に前記比率に基づいて番組の再生速度を変更する。利用者が短い時間で字幕を読むことにより再生速度が高速再生に変更される。これにより、途中からは字幕読み終え操作なしで、番組の内容を高速（利用者が字幕を読む速度に合わせた速さ）で番組を視聴することができる。
【００９９】
図２４は、字幕読み終え操作から利用者の字幕を読む速度を算出し再生速度を変更した状態を示した図である。図２４においては、図６に示した番組について、字幕表示区間（時間）のほぼ３／４の位置で字幕を読み終え、字幕読み終え操作をした場合を示している。矢印は字幕読み終え操作した時間的な位置を示す。
【０１００】
図２４においては、字幕Ｃの字幕読み終え操作の直後から再生速度変更部１０３が、字幕読み終え操作後に番組の再生速度を高速再生に変更したことが示されている。字幕Ａ、字幕Ｂ、字幕Ｃについて利用者が字幕読み終え操作するまでの所要時間の比率を求め、３回の比率の平均値を求めて字幕Ｃの字幕読み終え操作後から高速再生処理が実行されている。以上のように、利用者が字幕を読む速度に合わせて再生速度を変更し、記録番組を早見することができる。利用者にとって効率の良い再生を実現することができる。
【０１０１】
（第６の実施形態）
図２５は、第６の実施形態に係る記録再生装置１１０の構成を示したブロック図である。図２６は、第６の実施形態に係る再生制御部１１２の構成を示したブロック図である。この第６の実施形態の各部について、図２、図４に示す第１の実施形態の各部と同一部分は同一符号である。この第６の実施形態が第１の実施形態と異なる点は、再生制御部３５を再生制御部１１２に代えた構成していることにある。再生制御部１１２は、字幕データベース生成部１１３が含まれている。
【０１０２】
再生制御部１１２は、字幕データ取得部６１、字幕データ表示部６２、チャプタ設定部６３、字幕データベース生成部１１３の機能を有する。字幕データ取得部６１、字幕データ表示部６２、チャプタ設定部６３の各要素は第１の実施形態と同様であるので説明は省略する。
【０１０３】
字幕データベース生成部１１３は、放送データの記録時または記録後にチャプタ毎に字幕データベースを生成しこの字幕データベースを記録装置またはフラッシュメモリに記憶させる機能を有する。字幕データベースは、字幕が表示されるチャプタ毎に対応づけられた字幕のテキスト情報、表示位置情報、表示開始時刻情報等であり、記録装置またはフラッシュメモリに記憶される。
【０１０４】
利用者によるスキップ操作や自動スキップ処理におけるスキップ処理の直後に字幕を表示する必要があるが、通常では字幕を画面に表示する場合には、字幕ＥＳ化を行ってデコードした後に字幕ＥＳを解析する必要がある。デコード処理装置の性能によってデコード処理に時間を要する場合には、スキップでチャプタを移動した後に直ぐに字幕を表示できない可能性がある。このような場合に字幕データベースを準備することでデコード前でも字幕表示が可能となるため、スキップ後に字幕を直ぐに表示できるようになる。
【０１０５】
（第７の実施形態）
図２７は、第７の実施形態に係る記録再生装置１２０の構成を示したブロック図である。図２８は、第７の実施形態に係る再生制御部１２２の構成を示したブロック図である。この第７の実施形態の各部について、図２、図４に示す第１の実施形態の各部と同一部分は同一符号である。この第７の実施形態が第１の実施形態と異なる点は、再生制御部３５を再生制御部１２２に代えた構成していることにある。再生制御部１２２は、文字画像得部１２３が含まれている。
【０１０６】
再生制御部１２２は、字幕データ取得部６１、字幕データ表示部６２、スキップ処理部６４、文字画像取得部１２３、第２のチャプタ設定部１２４の各機能を有する。字幕データ取得部６１、字幕データ表示部６２、スキップ処理部６４の各要素は第１の実施形態と同様であるので説明は省略する。
【０１０７】
文字画像取得部１２３は、表示画像内に文字画像が表示された場合にこの文字画像を文字データとして取得する機能を有する。画像内に表示された文字画像とは、字幕ＥＳの字幕データによる字幕の文字とは異なる文字画像であり、例えば、画面７に表示されたテロップ文字や手紙や書類上の文字画像である。文字画像取得部１２３は、これらの文字画像を既知の画像解析手段や文字認識手段を用いて文字データとして取得する。文字画像取得部１２３は、文字データが画面に表示される時間情報と共に取得した文字データを一旦ＲＡＭ２３に保存する。
【０１０８】
第２のチャプタ設定部１２４は、字幕データに基づいて放送番組において字幕の表示が開始される時間毎にチャプタの分割ポイントを設定すると共に文字データに基づいて放送番組において文字画像の表示が開始される時間毎にチャプタの分割ポイントを設定する機能を有する。第２のチャプタ設定部１２４は、番組内に表示される字幕毎に字幕表示の開始時刻にチャプタの分割ポイントを設定すると共に画面７にテロップ文字や手紙や書類上の文字画像が表示される時間にチャプタの分割ポイントを設定する。第２のチャプタ設定部１２４は、映像データのシーンチェンジ点を検出したり、音声データの変化点を検出したりしてチャプタの分割ポイントを設定しない。
【０１０９】
画像解析や文字認識を行うことで、字幕データによる字幕だけでなく、画像内の字幕スーパーや、例えば、テロップや手紙のアップと言った画像中の文字についても、字幕と同様に処理することができる。このようにすることによって、画面７に表示された重要な文字情報を見逃すことを防ぐことができる。
【０１１０】
利用者は、表示されているチャプタの字幕、あるいはテロップ文字や手紙や書類上の文字画像を読み終えたら、リモコン８のスキップボタン５３ｆを押下して次のチャプタの先頭へスキップすることで利用者が自分のペースで、短時間で番組を視聴できる。利用者にとって効率の良い再生を実現することができる。
【０１１１】
（第８の実施形態）
図２９は、第８の実施形態に係る記録再生装置１３０の構成を示したブロック図である。図３０は、第８の実施形態に係る再生制御部１３２の構成を示したブロック図である。この第８の実施形態の各部について、図２、図４に示す第１の実施形態の各部と同一部分は同一符号である。この第８の実施形態が第１の実施形態と異なる点は、再生制御部３５を再生制御部１３２に代えた構成していることにある。再生制御部１３２は、文字データ生成部１３３、第３のチャプタ設定部１３４、文字データ表示部１３５が含まれている。
【０１１２】
再生制御部１３２は、字幕データ取得部６１、字幕データ表示部６２、スキップ処理部６４、文字データ生成部１３３、第３のチャプタ設定部１３４、文字データ表示部１３５の各機能を有する。字幕データ取得部６１、字幕データ表示部６２、スキップ処理部６４の各要素は第１の実施形態と同様であるので説明は省略する。
【０１１３】
文字データ生成部１３３は、放送データの記録時または記録後に放送データの音声ＥＳから音声データを取得し、該音声データから文字データを生成する機能を有する。文字データ生成部１３３は、放送データの音声ＥＳからデコードされた音声データを取得し、既知の音声変換手段を用いて、音声データから文字データを生成する。生成された文字データは、音声データが再生される時間情報と共に一旦ＲＡＭ２３に保存される。
【０１１４】
第３のチャプタ設定部１３４は、音声データに基づいて放送番組において音声の再生が開始される時間毎にチャプタの分割ポイントを設定する機能を有する。この場合の音声は文字データ生成部１３３によって文字データを生成された場合における音声である。背景音やインストルメンタルと呼ばれる器楽曲はチャプタの分割ポイントとはならない。第３のチャプタ設定部１３４は、番組内で再生される音声の開始時刻にチャプタの分割ポイントを設定する。また、第３のチャプタ設定部１３４は、映像データのシーンチェンジ点において分割ポイントを設定しない。
【０１１５】
文字データ表示部１３５は、チャプタ毎に音声データから生成された文字データを文字として画面に表示させる機能を有する。文字データ表示部１３５は、文字データ生成部１３３が生成した文字データを重畳処理部１５へ送信する。送信された文字データは、映像処理部１６を介して表示装置１７の画面７に表示される。文字データ表示部１３５は、チャプタの開始時刻と同時あるいは直後に画面７に。
【０１１６】
放送番組の放送データに字幕データが含まれていない番組でも、画面７に字幕のような文字画像を表示させることによって、この文字を早読みすることによって、番組を早見することが可能となる。利用者にとって効率の良い再生を実現することができる。
【０１１７】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【０１１８】
１  記録再生装置
７  画面
８  リモコン
１４  デコード処理部
１５  重畳処理部
１６  映像処理部
１７  表示装置
２１  制御部
２２  ＭＰＵ
２３  ＲＡＭ
２４  ＲＯＭ
２５  フラッシュメモリ
２６  記録装置
２７  操作受信部
２８  操作機器
２９  外部インターフェース
３０  外部装置
３１  ネットワーク送受信部
３２  ネットワーク
３３  サーバ
３４  記録制御部
３５  再生制御部
４５ａ、４５ｂ、４５ｃ、４５ｄ  カーソルボタン
４６  決定ボタン
４８  タイムシフトボタン
５１ａ、５１ｂ、５１ｃ、５１ｄ  補助カーソルボタン
５２ａ、５２ｂ、５２ｃ、５２ｄ  色ボタン
５３  記録装置操作ボタン
５３ａ  再生ボタン、５３ｆ  スキップボタン、５３ｇ  リバースボタン
６１  字幕データ取得部
６２  字幕データ表示部
６３  チャプタ設定部
６４  スキップ処理部
６５  字幕再生バー
６６  字幕表示区間
６７  字幕なし区間
６５  過去番組表表示部
７０  記録再生装置
７２  再生制御部
７３  自動スキップ処理部
８０  記録再生装置
８２  再生制御部
８３  高速再生部
９０  記録再生装置
９２  再生制御部
９３  自動高速再生部
１００  記録再生装置
１０２  再生制御部
１０３  再生速度変更部
１１０  記録再生装置
１１２  再生制御部
１１３  字幕データベース生成部
１２０  記録再生装置
１２２  再生制御部
１２３  文字画像取得部
１２４  第２のチャプタ設定部
１３０  記録再生装置
１３２  再生制御部
１３３  文字データ生成部
１３４  第３のチャプタ設定部
１３５  文字データ表示部
【図１】
2014127980.tif 000003
【図２】
2014127980.tif 000004
【図３】
2014127980.tif 000005
【図４】
2014127980.tif 000006
【図５】
2014127980.tif 000007
【図６】
2014127980.tif 000008
【図７】
2014127980.tif 000009
【図８】
2014127980.tif 000010
【図９】
2014127980.tif 000011
【図１０】
2014127980.tif 000012
【図１１】
2014127980.tif 000013
【図１２】
2014127980.tif 000014
【図１３】
2014127980.tif 000015
【図１４】
2014127980.tif 000016
【図１５】
2014127980.tif 000017
【図１６】
2014127980.tif 000018
【図１７】
2014127980.tif 000019
【図１８】
2014127980.tif 000020
【図１９】
2014127980.tif 000021
【図２０】
2014127980.tif 000022
【図２１】
2014127980.tif 000023
【図２２】
2014127980.tif 000024
【図２３】
2014127980.tif 000025
【図２４】
2014127980.tif 000026
【図２５】
2014127980.tif 000027
【図２６】
2014127980.tif 000028
【図２７】
2014127980.tif 000029
【図２８】
2014127980.tif 000030
【図２９】
2014127980.tif 000031
【図３０】
2014127980.tif 000032